(57)【要約】【課題】比較的通信距離の短いＨＦ帯のＩＣタグを備えた物品を入れる容器であって、ＮＦＣ搭載のスマートフォンなどのリーダライタによって、読取位置をＩＣタグのアンテナに正対した方向に限定されずに通信可能とする容器を提供する。【解決手段】少なくともＩＣタグを備えた物品を収納する容器あって、ＩＣタグと通信するためのリーダライタと、前記ＩＣタグと、が備えるアンテナ以外のコイルアンテナ部を有することを特徴とする容器。【選択図】図５
2018188199.tif 000002
【特許請求の範囲】
【請求項１】
少なくともＩＣタグを備えた物品を収納する容器であって、基材上に２つのコイルアンテナを設けたコイルアンテナ部を有することを特徴とする容器。
【請求項２】
前記２つのコイルアンテナが、前記ＩＣタグと通信するための第１のコイルアンテナと、リーダライタと通信するための第２のコイルアンテナであることを特徴とする請求項１に記載の容器。
【請求項３】
前記２つのコイルアンテナが、同一平面上に無いように配設されることを特徴とする請求項１または請求項２に記載の容器。
【請求項４】
前記ＩＣタグが、飲料容器のキャップ部に設けられ、前記コイルアンテナ部を有する容器が、前記飲料容器を収納する外容器であることを特徴とする請求項１から請求項３のいずれかに記載の容器。
【請求項５】
前記飲料容器のキャップ部において、熱収縮可能なシュリンクフィルムを少なくとも有するキャップシールが設けられており、
前記ＩＣタグが、前記キャップの天面と前記キャップシールとの間に設けられていることを特徴とする請求項４に記載の容器。
【請求項６】
前記飲料容器を収納した外容器において、前記コイルアンテナ部が、小箱内に設けられ、前記飲料容器上に小箱を設置し、前記外容器に収納したことを特徴とする請求項４または請求項５に記載の容器。
【発明の詳細な説明】
【技術分野】
【０００１】
本発明は、ＩＣタグ付き物品を収納する容器であり、特に通信距離の短いＨＦ帯のＩＣタグを装着した高級酒などの飲料容器を収納する容器に関する。
【背景技術】
【０００２】
近年、商品や荷物などの物品に取り付けて当該物品の識別や管理を行うタグとして、外部との通信により、各種データの書き込み、読み取りを非接触で行うことができるデータキャリアシステムを内蔵したＲＦ（Ｒａｄｉｏ  Ｆｒｅｑｕｅｎｃｙ）ＩＤタグを用いた個別認識システムが知られている。
【０００３】
ＲＦＩＤタグは、物流、流通、ＦＡ（Ｆａｃｔｏｒｙ  Ａｕｔｏｍａｔｉｏｎ）で扱われる商品や製品、荷物などの物品の管理、あるいは固有の識別番号などの固体識別情報を用いて真偽判別や流通経路などの特定をするなどのトレーサビリティ、セキュリティにも広く使われている。
【０００４】
特に物流、流通では個々の商品や製品の現状把握が可能となるため、商品や製品に貼付し、または紐付けされたＲＦＩＤタグの固体識別情報を外部読取装置にて、非接触で読取ることにより、商品や製品の売上管理及び在庫管理を効率良く行うことができる（例えば特許文献１）。
【０００５】
この様な商品や製品の具体的例として、高級飲料や高級酒に対する物流管理や真贋判定のニーズが、世界的に高まってきている。
【０００６】
高級飲料や高級酒などでは、真贋判定などの観点からボトルのキャップ部にＩＣタグを設け、ＩＣタグの付いたボトルを化粧箱に入れて流通させることがある。
【０００７】
このため、化粧箱を開封しなくても対象物に貼付されたＩＣタグラベルのデータを読みたいという要望がある。
【０００８】
この様な問題に対し、例えば特許文献２では、飲料容器のキャップシールの天面にアンテナを印刷形成し、このアンテナに対し、ＩＣタグラベルを静電結合する状態で貼着させることが提案されている。
【０００９】
しかし、この方法では、キャップシールの天面に小型のアンテナが施されているだけであるために、ＩＣタグの読取可能な方向が、ボトルの上側のみに限定されてしまう。
【００１０】
また、ＩＣタグが、１２５ｋＨｚ帯や１３．５６ＭＨｚ帯などの電磁結合あるいは電磁誘導型のＩＣタグである場合には、一般に通信距離が短いため、化粧箱などに入れることにより、上側からの読取が困難となる場合がある。
【００１１】
このような問題に対し、特許文献３では、予め容器の表面または内部にループアンテナを設置して読取りエリアを広げることができる容器が提案されている。
【００１２】
しかし、この方法では、ループアンテナを用いているため、ＩＣタグの周波数に合わせるためのアンテナの設計が必要であり、容器サイズによっては、容器外周にループアンテナを設置できない場合がある。
【００１３】
一方、近年、ＮＦＣ（Ｎｅａｒ  Ｆｉｅｌｄ  Ｃｏｍｍｕｎｉｃａｔｉｏｎ）搭載のスマートフォンなどを利用した真贋判定やマーケティングへの活用が増えており、特殊なリーダライタを持ち歩く必要がなくなり、ＩＣタグ活用の場が広がっている。
【先行技術文献】
【特許文献】
【００１４】
【特許文献１】特開平８−４４７９４号公報
【特許文献２】特許第４２２０１８４号公報
【特許文献３】特開２００５−３４８０３０号公報
【発明の概要】
【発明が解決しようとする課題】
【００１５】
本発明は上記の背景技術に鑑みてなされたものであり、その目的は、比較的通信距離の短いＨＦ帯のＩＣタグを備えた物品を入れる容器であって、ＮＦＣ搭載のスマートフォンなどのリーダライタによって、化粧箱などの外容器を開封せずとも、ＩＣタグとの通信が可能で、読取位置をＩＣタグのアンテナに正対した方向に限定されずに、通信可能とする容器を提供しようとするものである。
【課題を解決するための手段】
【００１６】
本発明者らは、特殊なコイルアンテナを有する容器を提供することで、課題を解決する方法を見出し、本発明を完成するに至った。
すなわち、請求項１に記載の発明は、少なくともＩＣタグを備えた物品を収納する容器であって、基材上に２つのコイルアンテナを設けたコイルアンテナ部を有することを特徴とする容器である。
【００１７】
請求項２に記載の発明は、前記２つのコイルアンテナが、前記ＩＣタグと通信するための第１のコイルアンテナと、リーダライタと通信するための第２のコイルアンテナであることを特徴とする請求項１に記載の容器である。
【００１８】
請求項３に記載の発明は、前記２つのコイルアンテナが、同一平面上に無いように配設されることを特徴とする請求項１または請求項２に記載の容器である。
【００１９】
請求項４に記載の発明は、前記ＩＣタグが、飲料容器のキャップ部に設けられ、前記コイルアンテナ部を有する容器が、前記飲料容器を収納する外容器であることを特徴とする請求項１から請求項３のいずれかに記載の容器である。
【００２０】
請求項５に記載の発明は、前記飲料容器のキャップ部において、熱収縮可能なシュリンクフィルムを少なくとも有するキャップシールが設けられており、
前記ＩＣタグが、前記キャップの天面と前記キャップシールとの間に設けられていることを特徴とする請求項４に記載の容器である。
【００２１】
請求項６に記載の発明は、前記飲料容器を収納した外容器において、前記コイルアンテナ部が、小箱内に設けられ、前記飲料容器上に小箱を設置し、前記外容器に収納したことを特徴とする請求項４または請求項５に記載の容器である。
【発明の効果】
【００２２】
本発明のコイルアンテナを設けた容器によれば、容器を開封することなく、容器内に収納された物品に設けられたＩＣタグとの通信が容易に行え、尚且つＩＣタグに設けられたアンテナとリーダライタのアンテナとが、必ずしも正対している必要がなく、通信時の方向をコントロールすることが可能となる。
【図面の簡単な説明】
【００２３】
【図１】本発明の実施形態に係わるコイルアンテナ部の例を示す概念図である。
【図２】本発明の実施形態に係るコイルアンテナとＩＣタグならびにリーダライタとの位置関係を示す概念図である。
【図３】本発明の実施形態に係るコイルアンテナシートの例を示すイメージ図である。
【図４】ＩＣタグ付き飲料容器を収納した外容器の例を示す斜視図である。
【図５】本発明のコイルアンテナシートを設けた容器の例を示す斜視図である。
【図６】内蓋部を有する容器の例を示す斜視図である。
【図７】本発明の小箱を収納した容器の例を示す斜視図である。
【図８】図７の小箱の中の様子を示した斜視図である。（Ａ）ＩＣタグシールを貼着した小箱の例（Ｂ）ＩＣタグシールを貼着した小箱に景品を梱包した例
【図９】本発明のコイルアンテナシートを設けた容器の別の例を示す斜視図である。
【図１０】緩衝材にコイルアンテナシートを貼付した例を示す斜視図である。
【図１１】携帯端末型リーダライタによる通信例を示す概念図である。（Ａ）外容器側面からの通信（Ｂ）外容器上面からの通信
【発明を実施するための形態】
【００２４】
以下、本発明の実施形態について説明するが、この発明は以下に示す実施形態に限定されるものではない。以下に示す実施形態では、この発明を実施するために技術的に好ましい限定がされているが、この限定はこの発明の必須要件ではない。
【００２５】
図１ならびに図２は、本発明の実施形態に係るコイルアンテナ部の例とＩＣタグならびにリーダライタとの位置関係を示す概念図である。
【００２６】
図１では、コイルアンテナ部１は、第１のコイルアンテナＬ１と、第２のコイルアンテナＬ２とを有し、コンデンサ１０を含むＬＣ回路状の構造を呈しており、共振回路を例示しているが、必ずしもこれらに限定されるものではない。
【００２７】
図２では、本発明の実施形態に係るコイルアンテナ部１とＩＣタグならびにリーダライタとの位置関係を示している。
【００２８】
すなわち、第１のコイルアンテナＬ１の近傍にはＩＣタグ２１が配され、第２のコイルアンテナＬ２の近傍にはリーダライタ２２が配されている。
【００２９】
これにより、第２のコイルアンテナＬ２とリーダライタ２２との通信が可能となり、また第１のコイルアンテナＬ１とＩＣタグ２１との通信が可能となることで、本発明のコイルアンテナ部１を介して、リーダライタ２２とＩＣタグ２１との通信が可能となる。
【００３０】
ここで用いられるＩＣタグ２１の周波数としては、一般的には１２５ｋＨｚ、１３．５６ＭＨｚ、２．４５ＧＨｚ、５．８ＧＨｚ（マイクロ波）の周波数帯から選択して使用することができる。
【００３１】
ＮＦＣ搭載のスマートフォンのような携帯端末をリーダライタ２２として用いることを想定した場合には、１３．５６ＭＨｚを好適に用いることができる。
【００３２】
周波数帯として、１３．５６ＭＨｚ（あるいは、１２５ｋＨｚなど）を選択した場合には、通信方式として電磁誘導（または電磁結合）方式が、用いられる。
【００３３】
これは、周波数が小さい帯域では、電波の波長が長くなり、電界で電波を出すためにはアンテナ自体も長いものが必要となるためである。
【００３４】
図３は、本発明の実施形態に係るコイルアンテナシートのイメージ図である。コイルアンテナシート３は、図３に示すように、基材３０上に、第１のコイルアンテナＬ１と第２のコイルアンテナＬ２とが設けられた構成となっている。
【００３５】
ここで、基材３０としては、例えば、ポリイミド、ポリエチレンテレフタレート（ＰＥＴ）、ポリエチレンナフタレート（ＰＥＮ）、ＰＥＴ−Ｇ、ポリ塩化ビニル、ポリカーボネート、アクリロニトリル−ブタジエン−スチレン共重合体（ＡＢＳ）、ポリオレフィンなどからなる樹脂シートや、各種合成紙、紙などを単独あるいは２種以上組み合わせた複合材として用いることができるが、必ずしもこれらに限定されるものではない。
【００３６】
また、基材３０のコイルアンテナが設けられている面の反対側の面上には、各種印刷等が施されてあっても良い。
【００３７】
更に、コイルアンテナシート３のコイルアンテナ側、あるいは裏面側のいずれか、あるいは両方に、感熱接着剤や感圧接着剤等の接着剤加工が施されてあっても何ら問題ない。
【００３８】
また第１のコイルアンテナＬ１と第２のコイルアンテナＬ２は、例えば、銅のワイヤを用いても良いし、銅箔やアルミ箔などの金属箔を基材３０にラミネートしてパターン状にエッチングあるいは抜き加工したもの、銅箔やアルミ箔などの金属箔をパターン状に基材に転写したもの、あるいは銀ペーストなどからなる導電性インキを印刷したものなど、従来公知の手法を任意に用いて形成することができる。
【００３９】
図４は、ＩＣタグ２１をキャップ部３１に設けた飲料容器を箱状の外容器３２に収納した様子を例示したものである。
【００４０】
ここでＩＣタグ２１は、ＩＣチップ内に微小アンテナを設けたものや、銅ワイヤや金属箔のエッチングアンテナなどにＩＣチップを実装したものなど任意のＩＣタグを用いることができる。
【００４１】
また、ＩＣタグ２１は、飲料容器のキャップ部３１に対して、内側あるいは外側のいずれの側に設けられてあっても良く、あるいは、キャップ部３１に熱収縮性を有するシュリンクフィルムを有するキャップシールが設けられている場合には、キャップシールとキャップの間、あるいはキャップシール上にＩＣタグ２１が設けられてあっても良い。
【００４２】
キャップシールがある場合には、ＩＣタグ２１の確認しづらくするために、キャップシールとキャップとの間、特にキャップ部の天面上とキャップシールの間に設けることが好適であると言える。
【００４３】
ここで、ＩＣタグ２１は、感圧接着剤などを設けて、キャップ部あるいはキャップシールに貼着されてあても何ら問題ない。
【００４４】
また、キャップシールは、天面シートとシュリンクフィルムとからなるキャップシールであっても良いし、更には、キャップシールやキャップ部３１を開封した際に、ＩＣタグ２１が通信不能となる脆性機構が設けられてあっても良い。
【００４５】
図５は、図４で示したＩＣタグ２１付き飲料容器を収納した箱状の外容器３２に、コイ
ルアンテナシート３を設けた例を示している。
【００４６】
コイルアンテナシート３は、第１のコイルアンテナＬ１と第２のコイルアンテナＬ２とが、同一平面にならないように、箱状の外容器３２内に設置することが重要である。
【００４７】
図５では、コイルアンテナシート３がＬ字状に折り曲げられ、その少なくとも一部が、箱状の外容器３２に固定され、第１のコイルアンテナＬ１が、飲料容器のキャップ３１部の上方に配される。これにより、ＩＣタグ２１と第１のコイルアンテナＬ１との通信が可能となる。
【００４８】
また、第２のコイルアンテナＬ２は、箱状の外容器３２の側面に沿って配されている。これにより、リーダライタ２２を箱状の外容器３２の側面にかざすことで、コイルアンテナシート３を介して、ＩＣタグ２１との通信が可能となる。
【００４９】
通常、飲料容器のキャップ天面にＩＣタグを設けた場合には、ＩＣタグに設けられたアンテナの正面側からのみ通信が可能であったため、箱に入れた状態で側面から通信することは困難であった。
【００５０】
また、コイルアンテナシート３の設置方法としては、図５のように箱状の外容器３２の側板部に直接一部を固定する方法がとられても良いし、図６に示すような内蓋部３３ｃを有する箱状容器に対し、コイルアンテナシート３の少なくとも一部を内蓋部３３ｃに貼着するように設けてあっても良い。
【００５１】
さらには、コイルアンテナシート２を箱状の外容器３２の内面で、側面折り曲げ部３４を跨ぐように配設してもなんら問題ない。
【００５２】
図７は、ＩＣタグ２１付き飲料容器のキャップ部３１の上に小箱４０を載せて、外容器３２に収納する例を示した斜視図である。
【００５３】
小箱４０には、図８（Ａ）に示すように、予めコイルアンテナ部を有するコイルアンテナシール４１が貼着されている。
【００５４】
この時、図８（Ａ）では、コイルアンテナ部の第１のコイルアンテナＬ１と第２のコイルアンテナＬ２とが、Ｌ字状に折り曲げられ、第１のコイルアンテナＬ１側がＩＣタグ２１の近傍になるように配置され、第２のコイルアンテナＬ２側が小箱の側面にくるように配置されている。
【００５５】
しかし、第２のコイルアンテナＬ２側は、必ずしも小箱の側面に設けられている必要はなく、例えば、第２のコイルアンテナＬ２の一部、あるいは全体が、小箱の上蓋部にくるように配置されてあっても何ら問題ない。
【００５６】
上述のように、コイルアンテナシート３あるいはコイルアンテナシール４１が設けられた小箱４０には、図８（Ｂ）に示すように、景品４２などを梱包して、外容器３２内に収納することができる。
【００５７】
図９は、コイルアンテナシート３の別の設置例を示す斜視図である。図９では、コイルアンテナシート３をコの字状に折り曲げ、第１のコイルアンテナＬ１と第２のコイルアンテナＬ２と、が平行な面になるようにし、第１のコイルアンテナＬ１側をＩＣタグ２１の近傍にくるように配している。
【００５８】
これにより、ＩＣタグ２１と箱状の外容器３２の主蓋部３３ａとの間に空間があり、通常ではリーダライタ２２によるＩＣタグ２１との通信が困難な場合であっても、箱状の外容器３２の上面から主蓋部３３ａを開封することなく、容易に通信を行うことが可能となる。
【００５９】
ここで、コイルアンテナシート３は、少なくともその一部が、主蓋部３３ａあるいは側蓋部３３ｂに固定されてあっても良いし、先に示したように小箱を用意し、小箱内にコの字型となるようにコイルアンテナシート３あるいはコイルアンテナシール４１を小箱内に設け、この小箱を飲料容器上に配設する方法がとられても良い。
【００６０】
さらには、図１０に示すように、緩衝材５０の表裏に第１のコイルアンテナＬ１ならびに第２のコイルアンテナＬ２がそれぞれ配されるようにコイルアンテナシート３あるいはコイルアンテナシール４１を貼着し、飲料容器のキャップ部３１側に第１のコイルアンテナＬ１がくるように、飲料容器上に配設する方法がとられても良い。
【００６１】
図１１は、リーダライタ２２としてスマートフォンなどの携帯端末６０を用いて、箱状の外容器３２内に収納されたＩＣタグ２１と通信を行い、情報の読み取りあるいは書き込みを行う様子を示した概念図である。
【００６２】
本発明のコイルアンテナを設けた容器を、箱状の外容器３２として用いることにより、外容器３２を開封することなく、外容器３２内に収納された飲料容器に設けられたＩＣタグ２１との通信が容易に行え、尚且つＩＣタグに設けられたアンテナとリーダライタのアンテナとが、必ずしも正対している必要がなく、通信時の方向をコントロールすることが可能となる。
【符号の説明】
【００６３】
１    …  コイルアンテナ部
Ｌ１  …  第１のコイルアンテナ
Ｌ２  …  第２のコイルアンテナ
１０  …  コンデンサ
２１  …  ＩＣタグ
２２  …  リーダライタ
３    …  コイルアンテナシート
３０  …  基材
３１  …  飲料容器キャップ部
３２  …  箱（外容器）
３３ａ…  主蓋部
３３ｂ…  側蓋部
３３ｃ…  内蓋部
３４  …  側面折り曲げ部
４０  …  小箱
４１  …  コイルアンテナシール
４２  …  グラス（景品）
５０  …  緩衝材
６０  …  携帯端末（リーダライタ）
【図１】
2018188199.tif 000003
【図２】
2018188199.tif 000004
【図３】
2018188199.tif 000005
【図４】
2018188199.tif 000006
【図５】
2018188199.tif 000007
【図６】
2018188199.tif 000008
【図７】
2018188199.tif 000009
【図８】
2018188199.tif 000010
【図９】
2018188199.tif 000011
【図１０】
2018188199.tif 000012
【図１１】
2018188199.tif 000013